(57)【特許請求の範囲】
【請求項１】
段ボール箱の分断開封部位に、開封口から開封方向の２本の引裂き線に沿って引裂き可能に備えられる開封帯による開封構造であって、
前記２本の引裂き線は、前記開封口の２本の切込み線の端から該２本の切込み線間の巾よりも広くなるように外側に傾斜させた外向き傾斜線部、この外向き傾斜線部に連設する外側湾曲頂部から２本の切込み線間の巾よりも狭くなるように内側に傾斜させた内向き傾斜線部、この内向き傾斜線部に連設する内側湾曲頂部から弓形曲線にて外側に漸次傾斜させた弓形外向き傾斜線部、この弓形外向き傾斜線部に連設する外側湾曲頂部、この外側湾曲頂部から内側に傾斜して弓形外向き傾斜線部に連設する内向き傾斜部を設けることを開封方向に繰り返す曲線形状にて対称に形成されるとともに、
前記引裂き線のうち、開封口の２本の切込み線の端から外側に向けて傾斜する外向き傾斜線部、内側湾曲頂部から外側湾曲頂部に向けて緩やかな弓形曲線にて傾斜する弓形外向き傾斜線部上に段ボールシートの裏ライナー側から表ライナー側に至る切目を前記開封方向に断続的に設けてなり、
前記切目は、前記裏ライナー側において広く、前記表ライナー側においては狭い断面視で略台形状であり、
さらに、前記引裂き線のうち、外側湾曲頂部、内向き傾斜線部、内側湾曲頂部において前記裏側から前記表側に貫通する全切目を備えていることを特徴とする段ボール箱の開封構造。
【請求項２】
前記段ボール箱のフラップ縁部に、開封用指掛け部をさらに備えていることを特徴とする請求項１に記載の段ボール箱の開封構造。
【請求項３】
前記開封用指掛け部が、内フラップに重ね貼り付けられている外フラップの縁部に沿って施された折れ目および／または潰し部によって折り曲げ開口可能に形成されていることを特徴とする請求項２に記載の段ボール箱の開封構造。
【請求項４】
請求項１乃至３のいずれかに記載の段ボール箱の開封構造の引裂き線を形成する切刃を、段ボール箱の分断開封部位に位置させて備えたことを特徴とする抜型。
【発明の詳細な説明】
【技術分野】
【０００１】
本発明は、段ボール箱の開封構造、詳しくは、被包装物を包み込むように包装する所謂ラップラウンド式の段ボール箱の開封帯およびフラップによる開封構造、この開封構造を形成するための切刃、およびこの切刃を備えている抜型に関する。
【背景技術】
【０００２】
酒類やジュース類などの飲料缶、菓子類、そして即席商品などの被包装物を包み込むように包装する所謂ラップラウンド式の段ボール箱（包装箱）は、被包装物の包装に合わせた種々の形態（形状、大きさ）に製箱されている（例えば、特許文献１および特許文献２などを参照）。
【０００３】
例えば、缶ビールなどの飲料缶を数十本単位で包み込むように包装する段ボール箱のブランクは、各一対の幅広側板および幅狭側板とからなる計４枚の側板が綾部罫線を介して連設されている略角筒状の胴部を備えている。そして、胴部の両側開口部は、各一対の幅広側板および幅狭側板の両端からそれぞれ連設されている内フラップおよび外フラップを、互いに重なり合うようにそれぞれ内側に折り曲げ、その重なり部分を貼り合わせることによって封緘される形態のものが使用されている。外フラップは、縁部（先端縁）同士を付き合わせた状態で糊接着などによって内フラップに重ね貼り合わせられている。
なお、ブランクは、一枚の段ボールシートから打ち抜かれて製造される。
【０００４】
そして、このような形態からなる段ボール箱の一対の幅狭側板には、内フラップおよび外フラップによって封緘される両側開口部に至る開封方向（引裂き方向）に向けて開封帯（引裂き帯）が設けられている。また、一対の幅狭側板の中央部位には、開封帯の端部を摘むために破断開口される開封口が設けられている。
これにより、段ボール箱を開封するときに、開封口を破断開口して開封帯の端部を摘み、開封帯を開封方向に引裂いて、一対の幅狭側板を、一方の幅広側板側と他方の幅広側板側とに分断する開封を行うことで、飲料缶を取り出すことができるようになっている。
【０００５】
また、このような形態からなる段ボール箱では、自動販売機などへ飲料缶を補充（投入）するときなどの場合、開封帯による段ボール箱の分断開封を行わずに、段ボール箱を封緘する両側開口部の外フラップを、内フラップから剥離する開封によって飲料缶を取り出すことが大半である。
【先行技術文献】
【特許文献】
【０００６】
【特許文献１】特許第３８６５６８７号公報
【特許文献２】特開２００８−２８００８８号公報
【発明の概要】
【発明が解決しようとする課題】
【０００７】
ところで、特許文献２の従来技術における開封帯（引裂き帯）の開封構造は、開封口（切始部）から開封方向に向けて形成された２本の波状切目線を備えている。そして、波状切目線を、ブランクの裏ライナーから表ライナーに貫通する全切部（全切線）と、裏ライナーから厚さ方向の途中まで切り込まれる半切部（半切線）とが開封方向に交互に断続するリード罫としてなるものである。
ここで、波状切目線の全切部と半切部は、抜型に植設されて備えられているリード罫刃によってブランクに入れられる。リード罫刃の刃先は、ブランクの裏ライナー側から表ライナー側に全切部を貫通状に切り込むための刃高の高い全切刃と、裏ライナー側から厚さ方向の途中まで半切部を切り込むための刃高の低い半切刃とが交互に形成されている平刃形状を成している。
【０００８】
しかしながら、このような開封構造からなる開封帯を一対の幅狭側板（立面板）に備えている従来技術の段ボール箱では、波状切目線の開封方向に断続的に存在し、開封方向に所定長さにて切り込まれている全切部によって一対の幅狭側板の剛性が低下することとなる。
そのために、保管時や店内陳列時に数段積み上げたときに、上段側の段ボール箱の重さによって下段側の段ボール箱の一対の幅狭側板に座屈による胴膨れが生じ、箱の美観が損なわれるおそれがあった。
【０００９】
また、波状切目線の全切部と半切部をブランクに入れられるリード罫刃は、全切刃、半切刃ともに、ブランクを開封帯の開封方向に直線的に切る刃先が平刃形状であるが故に、裏ライナー側から全切部、半切部を切り込むときに裏ライナーがスムーズに切れずにシートを押し潰してしまうことがあった。
【００１０】
また、従来技術の段ボール箱では、外フラップを内フラップから剥離して開封するときに、指先が外フラップの縁部により切れて傷付くおそれがある。これは、縁部（先端縁部）を付き合わせた状態で内フラップに重ね貼り付けられている一方の外フラップの縁部に指先を掛けて、外フラップを内フラップから剥離して開封するとき、縁部に沿って指先を滑らせて負傷する。
【００１１】
そこで、本発明は、このような従来事情に対処するために創案されたものである。すなわち、段ボール箱の分断開封部位における座屈による胴膨れを抑止しながら開封帯による開封が容易であること、また、フラップによる開封時に指を負傷することがなく、フラップに指先をしっかりと掛けた状態で開封を容易にすること、開封帯の引裂き線をブランクに入れるときにシートを押し潰すことなく切断することができること、積み上げ時に胴膨れし難くすること、などを本発明の目的とする。
【課題を解決するための手段】
【００１２】
前記課題を解決するために、本発明による段ボール箱の開封構造は、段ボール箱の分断開封部位に、開封口から開封方向の２本の引裂き線に沿って引裂き可能に備えられる開封帯による開封構造であって、前記引裂き線は、段ボールシートの裏ライナー側から表ライナー側に至る切目を前記開封方向に断続的に設けてなり、前記切目は、前記裏ライナー側において広く、前記表ライナー側において狭い断面視で略台形状であることを特徴とする。
ここで、前記引裂き線は、前記開封方向の各要所に、裏ライナー側から表ライナー側に貫通状に切り込まれる全切目をさらに備えていること、また、前記引裂き線は、前記開封方向に略曲線形状の対称に形成されていること、などの構成を採用することが好ましい。
【００１３】
さらに、前記段ボール箱のフラップ縁部に、開封用指掛け部を備えている構成を採用することが好ましい。この場合、前記開封用指掛け部が、内フラップに重ね貼り付けられている外フラップの縁部に沿って施された折れ目および／または潰し部によって折り曲げ開口可能に形成されていることが好ましい。
【００１４】
また、本発明による段ボール箱の開封構造を形成する切刃は、段ボール箱の分断開封部位に、開封口から開封方向に引裂き線に沿って引裂き可能に備えられる開封帯による開封構造の前記引裂き線を形成するための切刃であって、所定の板厚を有する板状に形成され、その一辺縁に沿って略Ｖ字状または略Ｕ字状にて断続的に連なる鋭い刃先を多数備えて形成されていることを特徴とする。
ここで、前記刃先のピッチが１．０〜１．７ｍｍの範囲に、その振幅が０．５〜１．２ｍｍの範囲に設定されているものが好適である。
【００１５】
また、段ボール箱の分断開封部位に、開封口から開封方向に開封帯による開封構造の引裂き線を形成する切刃を備えた本発明による抜型は、前記段ボール箱の分断開封部位に位置させて前記切刃を備え、該切刃は、所定の板厚を有する板状に形成され、その一辺縁に沿って略Ｖ字状または略Ｕ字状にて断続的に連なる鋭い刃先を多数備えて形成されていることを特徴とする。
【発明の効果】
【００１６】
本発明の開封帯による段ボール箱の開封構造によれば、段ボール箱の分離開封部位における剛性（座屈抑止強度）を低下させることなく、開付帯の引裂き線を備えることができる。
例えば、缶ビールなどの飲料缶を数十本単位で包み込むように包装するラップラウンド式の段ボール箱の胴部を折り曲げ形成する一対の幅狭側板に開封帯による開封構造を適用した場合、引裂き線で座屈して胴膨れを引き起こすことがない剛性を一対の幅狭側板に保った状態で、該一対の幅狭側板に引裂き線に沿って開封方向に引裂き可能とする開封帯による開封構造を備えることができる。
【００１７】
また、引裂き線を形成するように開封方向に断続的に設けられる切目は、段ボールシートの裏ライナー側において広く（長く）切れ込まれていることで、引裂き線に沿って開封帯を引裂くとき、引裂き線は切れ込みが広いブランクの裏ライナー側から確実に、かつ、スムーズに引き裂かれることとなる。これにより、開封帯による段ボール箱の開封を容易に行うことができる。
【００１８】
また、段ボールシートの表ライナー側において引裂き線の切目は、例えば、小さな孔程度の狭い切れ込みとして存在（露出）する。
つまり、従来技術の裏ライナーから表ライナーに貫通する全切部（全切線）は、裏ライナー側と同じ広さに切り込まれた広い（長い）切目として表ライナー側に存在することとなるために、商品名や製造・販売メーカのロゴなどが印刷される段ボール箱の外表面の美観が広い切目によって損なわれるのに対し、本発明では、切目が小さな孔程度（切刃の刃先端形状）の狭い切れ込みとして表ライナー側に点在するものであることで、段ボール箱の外表面の美観の低下を抑えることができる。
加えて、段ボール箱の一対の幅狭側板の剛性の低下を抑えることができるので、数段積み上げによる保管時や店内陳列時などにおける引裂き線からの座屈による胴膨れ抑止効果をより顕著に引き出すことができる。
【００１９】
また、フラップによって段ボール箱を開封するときには、フラップの縁部に折れ目および／または潰し部によって備えられている開封用指掛け部を折り曲げ開口させることで、指を傷付けることなく、フラップの裏側（裏ライナー側）に指先をしっかりと掛けた状態で開封を容易に行うことができる。
【００２０】
また、本発明の開封帯による段ボール箱の開封構造の引裂き線を形成する切刃によれば、略Ｖ字状または略Ｕ字状にて断続的に連なる鋭い刃先によって、開封口から開封方向に備えられる開封帯による開封構造の引裂き線を形成するように裏ライナー側から表ライナー側に至る断面視で略台形状の切目を、段ボール箱の分断開封部位の開封口から開封方向に断続的に切り込み設けることができる。
【００２１】
また、切刃は、段ボール箱の分断開封部位に引裂き線の切目を入れるとき、裏ライナー側から表ライナー側に至るように鋭い刃先を突き刺す切断であることで、シートを押し潰すことなく、裏ライナーから表ライナーに至る断面視で略台形状の切目を切り込むことができる。
これにより、例えば、自動箱詰めラインの自動製函機によってブランクから段ボール箱へ自動で組み立て製箱されるときなどに、引裂き線から折れ曲がる現象を防いで、製箱不良の発生を抑制することができる。また、数段積み上げ時における胴膨れをも効果的に抑制することができるなどの効果を期待することができる。
【００２２】
また、裏ライナー側から表ライナー側に至る断面視で略台形状の切目を段ボール箱の分断開封部位に、刃先のピッチ１．０〜１．７ｍｍの範囲にて断続的に設けることができる。例えば、段ボールシートの厚さや紙質などに応じて１．０〜１．７ｍｍの範囲の間隔をおいて切目を開封口から引裂き方向に選択的に設けることができる。
【００２３】
また、本発明の開封帯による段ボール箱の開封構造の引裂き線を形成する切刃を備えた抜型によれば、段ボール箱のブランクが１枚の段ボールシートから打ち抜き裁断されるときに、ブランクの裏ライナー側から表ライナー側に至る断面視で略台形状の切目を、略Ｖ字状または略Ｕ字状にて断続的に連なる切刃の鋭い刃先による突き刺し切断によって開封口から開封帯による開封方向に断続的に、かつ、同時に設けることができる。
これにより、保管時や店内陳列時に数段積み重ねたときの引裂き線からの座屈による胴膨れ抑止し、しかも、商品名や製造・販売メーカのロゴなどが印刷される段ボール箱の外表面の美観の低下を抑えながら開封を容易に行うことができる開封帯による開封構造を、分断開封部位に備えた段ボール箱（ブランク）を生産性よく製造することができる。
【図面の簡単な説明】
【００２４】
【図１】本実施形態に係る開封帯および外フラップによるそれぞれの開封構造を適用させた段ボール箱のブランクの一例を示す裏面図である。
【図２】同ブランクを裏面側（裏ライナー側）から見たときの斜視図である。
【図３】段ボール箱の組み立て封緘状態を示し、（ａ）は、斜視図であり、（ｂ）は、（ａ）のｂーｂ線縦断拡大図である。
【図４】開封帯による開封構造の引裂き線の基本形態を示す説明図である。
【図５】本実施形態に係る開封帯による開封構造の引裂き線を形成する切刃の一部を示し、（ａ）は、正面図であり、（ｂ）は、同側面図である。
【図６】同切刃を２枚重ね並べた状態を示す斜視図である。
【図７】同切刃の刃先と切目の対応を示す拡大斜視図である。
【図８】同切刃の他の実施形態を示し、（ａ）は、正面図であり、（ｂ）は、同側面図である。
【図９】同他の実施形態の切刃を２枚重ね並べた状態を示す斜視図である。
【図１０】本実施形態に係る開封帯による開封構造の引裂き線を形成する切刃を備えた抜型の全体を示す底面図である。
【図１１】引裂き線を形成する切刃、全切り波刃が植設配置されている同抜型の一部を拡大して示す斜視図である。
【図１２】フラップの縁部に開封用指掛け部を形成する半切れ波刃、圧潰部材が配置されている同抜型の一部を拡大して示す斜視図である。
【発明を実施するための形態】
【００２５】
以下、本発明の実施形態について、適宜図面を参照しながら詳細に説明する。
図１は、本実施形態の係る開封帯および外フラップによるそれぞれの開封構造を適用させた段ボール箱のブランクの一例を示す裏面図であり、図２は、同ブランクを裏面側から見たときの斜視図であり、図３は、組み立て製箱された段ボール箱の封緘状態を示す斜視図および縦断拡大図である。
なお、本実施形態では、被包装物として挙げられる酒やジュース類などの飲料缶、菓子類、そして即席商品などのうち、図２および図３に示すように、缶ビールなどの飲料缶Ｍを数十本単位で包み込むように包装するラップラウンド式の段ボール箱Ａを一例として挙げて説明する。
【００２６】
≪段ボール箱の説明≫
段ボール箱Ａは、図１および図２に示すブランクａから図３に示す略矩形状に折り曲げ組み立てられて製箱される。
このブランクａは、図示省略の打抜き装置に装備される後記の抜型Ｂによって一枚の段ボールシートから打ち抜き裁断されて製造されるものであり、図１に示すように、綾部罫線（折線）１０を介して順次連設されて段ボール箱Ａの略角筒状の胴部Ａ１を折り曲げ形成する各一対の幅広側板１，２および幅狭側板３，４とからなる計４枚の側板を備えている。
また、ブランクａは、各一対の幅広側板１，２および幅狭側板３，４の両端（両短辺縁）に連設させた外フラップ５，６および内フラップ７，８をそれぞれ備えている。また、一方の幅狭側板３の開放長辺縁には糊代片９を備えている。
【００２７】
これにより、各一対の幅広側板１，２および幅狭側板３，４を各綾部罫線１０に沿い順番に折り曲げ、幅狭側板３側に備えられている糊代片９を幅広側板２の開放長辺縁の内側に糊接着などによって貼り付けて幅狭側板３を幅広側板２に連結することで、段ボール箱Ａの胴部Ａ１が組み立て形成される。そして、胴部Ａ１の両側開口部が、内側に折り曲げられた内フラップ７，８に、同じく内側に折り曲げられて重なり合う外フラップ５，６を糊接着などによる貼り付けにより封緘されることで、飲料缶Ｍを包み込むように包装する段ボール箱Ａが、図３に示す略矩形状に製箱されるものである。
【００２８】
なお、図示を省略しているが、この製箱は、缶ビールなどの飲料缶Ｍを数十本単位（例えば、２４本単位）で整列させながら段ボール箱Ａの胴部Ａ１に箱詰めして包装する自動箱詰めラインの自動製函機によって自動で行われる。
【００２９】
そして、このようにしてブランクａから折り曲げ組み立てられて製箱される段ボール箱Ａの一対の幅狭側板３，４には、図１〜図３に示すように、開封帯１１および開封口１２、そして、開封帯１１を形成する２本の引裂き線１３からなる帯状の開封構造が、内フラップ７，８および外フラップ５，６によって封緘される胴部Ａ１の両側開口部に至る開封方向（引裂き方向）に設けられている。
これにより、開封口１２から開封帯１１を２本の引裂き線１３に沿って開封方向に引裂くことで、一対の幅狭側板３，４が、一方の幅広側板２側（図３（ａ）の上側）と他方の幅広側板１側（図３（ａ）の下側）に分断され、段ボール箱Ａが開封されるようになっている。
【００３０】
≪開封帯および開封口の説明≫
図４は、開封帯による開封構造の引裂き線の基本形態を示す説明図である。ここでは、図１〜図３を適宜参照しながら説明する。
開封帯１１および開封口１２は、ブランクａが抜型Ｂによって一枚の段ボールシートから打ち抜かれるとき、同抜型Ｂにより同時に切り込まれて形成されるものである。
開封帯１１は、お客がビール缶などの飲料缶Ｍを段ボール箱Ａ単位（ケース単位）で買い求めて持ち帰り、飲料缶Ｍを段ボール箱Ａから取り出すときに、段ボール箱Ａを開封口１２から引裂いて開封するためのものである。
この開封帯１１は、図１および図４に示すように、２本の引裂き線１３により一対の幅狭側板３，４にそれぞれ帯状に形成される。そして、この開封帯１１は、図１に示すように、一対の幅狭側板３，４の両端に連設する内フラップ７，８の端縁まで達するように設けられる。
【００３１】
≪引裂き線の説明≫
２本の引裂き線１３は、抜型Ｂに備えられる後記の切刃Ｃによってブランクａの裏ライナーａ１側から表ライナーａ２側に至るように切り込まれる切目１３ａを、開封口１２から開封方向に断続的に設け、かつ、後記の全切り波刃Ｄによって裏ライナーａ１側から表ライナーａ２側に貫通するように入れられる全切目１３ｂを開封方向の各要所に設けることで、一対の幅狭側板３，４の開封方向に、後記の外側湾曲頂部１３−２と内側湾曲頂部１３−４を交互に有する略曲線形状の対称にて形成されるものである。
【００３２】
具体的に述べると、２本の引裂き線１３は、図１および図２、図４に示すように、一対の幅狭側板３，４の中央部位において、綾部罫線１０と略平行に入れられている開封口１２の後記する２本の切込み線１２ａの端から両側の内フラップ７，８側に向けたそれぞれの開封方向に、２本の切込み線１２ａ間の巾よりも広くなるように外側（綾部罫線１０側）に傾斜させた外向き傾斜線部１３−１、この外向き傾斜線部１３−１に連設する外側湾曲頂部１３−２から２本の切込み線１２ａ間の巾よりも狭くなるように内側（綾部罫線１０から遠ざかる方向）に傾斜させた内向き傾斜線部１３−３、この内向き傾斜線部１３−３に連設する内側湾曲頂部１３−４から所望の長さと緩やかな略弓形曲線にて外側に漸次傾斜させた弓形外向き傾斜線部１３−５、そして、この弓形外向き傾斜線部１３−５に連設する前記の外側湾曲頂部１３−２、この外側湾曲頂部１３−２から内側に傾斜して弓形外向き傾斜線部１３−５に連設する前記の内向き傾斜部１３−３を設けることを開封方向に繰り返す略曲線形状の対称に形成されている。
つまり、開封帯１１は、開封口１２から開封方向に向けて外側湾曲頂部１３−２と内側湾曲頂部１３−４を交互に有する略曲線形状の対称にて形成される２本の引裂き線１３によって引裂き可能に設けられる。
【００３３】
≪切目および全切目の説明≫
切目１３ａは、ブランクａの裏ライナーａ１側から突き刺さるように厚さ方向に入り込んで刃先端が表ライナー２側に至る切刃Ｃの刃先Ｃ１によってブランクａに切り込まれて形成される。
この切目１３ａは、後記の図７に示すように、ブランクａの裏ライナーａ１側において広く、表ライナーａ２側においては狭い、例えば、切刃Ｃの刃先端形状に相当する小さな孔程度とする断面視で略台形状を成して２本の引裂き線１３上に位置して形成される。
【００３４】
このようにして２本の引裂き線１３を形成するようにブランクａに切り込まれる切目１３ａの開封方向における断続的な配置について説明すると、図４に示すように、切目１３ａは、略曲線形状にて対称と成す２本の引裂き線１３上における開封口１１の２本の切込み線１１ａの端から外側に向けて傾斜する外向き傾斜線部１３−１、内側湾曲頂部１３−４から外側湾曲頂部１３−２に向けて緩やかな略弓形曲線にて傾斜する弓形外向き傾斜線部１３−５上において、切刃Ｃの後記する刃先１６のピッチ１．０〜１．７ｍｍの間隔をおいてそれぞれ切り込み配置される。
【００３５】
そして、この切目１３ａと併用して２本の引裂き線１３の各要所に備えられる全切目１３ｂは、ブランクａの裏ライナーａ１側から中芯ａ３を貫通（切断）して表ライナーａ２側に、裏ライナーａ１側と略同じ切り込み長さにて貫通状に切り込まれて２本の切込み線１２ａの各要所に形成される。
この全切目１３ｂは、図４に示すように、２本の引裂き線１３の外側湾曲頂部１３−２、内向き傾斜線部１３−３、内側湾曲頂部１３−４において抜型Ｂに備えられる全切り波刃Ｄによって切り込まれて配置される。
【００３６】
開封口１２は、段ボール箱Ａを開封するとき、開封帯１１の端部を摘むために破断開口されるものである。
この開封口１２は、図１に示すように、開封帯１１の帯幅（２本の引裂き線１３の線間）にて綾部罫線１０と略平行に入れられる２本の切込み線１２ａ、この２本の切込み線１２ａの長さ方向中心部間にわたるように入れられる１本の切込み線１２ｂと、それら切込み線１２ａ，１２ｂの各要所に位置して設けられる繋ぎ部１２ｃとによって一対の幅狭側板３，４のそれぞれの中央部位に略Ｈ字状の破断形状にて設けられる。
【００３７】
２本の切込み線１２ａは、抜型Ｂに備えられる後記のミシン刃Ｅによって、また、１本の切込み線１２ｂは、後記の全切り波刃Ｆによって、ブランクＢの裏ライナーｂ１側から表ライナーｂ２側に貫通状に切り込まれることによりそれぞれ形成されるものである。
【００３８】
また、本実施例では、段ボール箱Ａの一対の幅狭側板３，４と開封帯１１に、図１および図２に示すように、斜め格子状に形成されるクロス罫筋１４をそれぞれ備えている。
このクロス罫筋１４は、ブランクａの裏ライナーａ１側に、ブランクａが抜型Ｂによって一枚の段ボールシートから打ち抜かれるとき、抜型Ｂに備えられている後記の押罫部材１９によって同時に形成されるものである。
これにより、飲料缶Ｍなどを包み込み包装した封緘状態で複数個の段ボール箱Ａを数段に積み上げた際に、上段側の段ボール箱Ａの荷重による下段側の段ボール箱Ａの胴膨れを抑えるようにしている。
【００３９】
［作用説明］
つぎに、以上のように形成されている本実施形態に係る開封帯１１による開封構造を一対の幅狭側板３，４に適用させてなる段ボール箱Ａによれば、引裂き線１３を形成するように開封方向に断続的に設けられる切目１３ａは、ブランクａの裏ライナーａ１側において広く（長く）切れ込まれていることで、引裂き線１３に沿って開封帯１１を引裂くとき、引裂き線１３は切れ込みが広いブランクａの裏ライナーａ１側から確実に、かつ、スムーズに引き裂かれることで、開封帯１１による段ボール箱Ａの開封を容易に行うことができる。
また、ブランクａの表ライナーａ２側において切目１３ａは、例えば、小さな孔程度の狭い切れ込みとして存在（露出）する程度であることから、商品名や製造・販売メーカのロゴなどが印刷される段ボール箱Ａの外表面の美観の低下を抑えることができる。
【００４０】
また、本実施形態では、段ボール箱Ａの胴部Ａ１の両側開口部を封緘する内フラップ７，８に重ね貼り付けられる外フラップ５，６の縁部に開封用指掛け部１５を備えてなる開封構造をさらに採用している。
すなわち、図３に示すように、縁部（先端縁）同士を付き合わせた状態で内フラップ７，８に重ね貼り付けられている外フラップ５，６の縁部に開封用指掛け部１５を備えて、指先などを負傷することなく、指先を外フラップ５，６の内側（裏ライナーａ１側）にしっかりと掛けた状態で容易に開封し得るようにしている。
【００４１】
≪開封用指掛け部の説明≫
開封用指掛け部１５は、ブランクａが抜型Ｂによって一枚の段ボールシートから打ち抜かれるとき、抜型Ｂに備えられる後記の半切れ波刃Ｇと圧潰部材２０によって同時に形成されるものである。
この開封用指掛け部１５は、図に示すように、外フラップ５，６の縁部略中央部位において、所望な大きさの略半月状に半切れ波刃Ｇによって施される折れ目１５ａと、この折れ目１５ａと縁部によって囲まれた内側部分に圧潰部材２０によって施される潰し部１５ｂを備えて形成されている。
【００４２】
これにより、例えば、自動販売機などへ飲料缶を補充（投入）するときなどにおいて、外フラップ５，６に指を掛けて開封するとき、開封用指掛け部１５を、図３の（ｂ）に二点鎖線で示すように、内側に折り曲げることで、縁部によって指先などを傷付けることなく、略半月状に開く開口より外フラップ５，６の内側（裏ライナーａ１側）に指先を差し入れ、外フラップ５，６の内側に指先をしっかりと掛けた状態で外フラップ５，６を内フラップ７，８から剥離して開封することができる。
【００４３】
なお、図示を省略しているが、開封用指掛け部１５は、略半月状に施される折れ目１５ａ、または、潰し部１５ｂの何れか一方側のみによって外フラップ５，６の縁部に折り曲げ開口可能に形成することができる。
また、折れ目１５ａのみにて開封用指掛け部１５を形成した場合、外フラップ５，６の縁部から略半月状の折れ目１５ａに至るように、縁部から直交方向に繋ぎを有する切込み線などを数本入れるなどの工夫を施すことができる。これにより、開封用指掛け部１５をより関単に折り曲げ開口する。つまり、開封用指掛け部１５を破くように開口することができる。
【００４４】
また、指掛け開封部１５の他の構成形態として、一対の幅狭側板３，４の縁部に沿わせて曲線凸凹状に連なる凸部群から形成することができる。
【００４５】
≪切刃の説明≫
つぎに、前記段ボール箱Ａのブランクａ（一対の幅狭側板３，４）に開封帯１１による開封構造の引裂き線１３を切り込み形成する本実施形態に係る切刃Ｃについて説明する。
図５は、本実施形態に係る切刃を示す正面図及び側面図である。
【００４６】
切刃Ｃは、図５に示すように、所定の板厚ｔを有する板状に形成され、その一辺縁に沿って略Ｖ字状にて断続的に連なる鋭い刃先（切断エッジ）１６を多数備えて形成されている。
【００４７】
そして、本実施形態に係る切刃Ｃは、ブランクａ(段ボールシート)のシート厚さや紙質（素材）などにもよる。例えば、３〜５ｍｍのシート厚などにもよるが、刃先１６のピッチＰを１．０〜１．７ｍｍの範囲に、その振幅Ｗを０．５〜１．５ｍｍの範囲に設定することが好ましい。
その理由は、ピッチＰを１．０ｍｍ以下にすると、略Ｖ字状または略Ｕ字状にて断続的に備える刃先１６の形成（加工）が難しい上に、刃先１６の強度などが低下することとなるからであり、ピッチＰが１．７ｍｍを越えると、刃先１６を略Ｖ字状または略Ｕ字状にて断続的に備えることによる所期の目的を達成することが難しくなるからである。
また、振幅Ｗを０．５ｍｍ以下にすると、刃先１６を略Ｖ字状または略Ｕ字状にて断続的に備えることによる効果が十分に得られないことになるからであり、また、振幅Ｗが１．５ｍｍを越えると、ブランクａの裏ライナーａ１側において広く、表ライナーａ２側においては狭い断面視で略台形状を成す切目１３ａを形成することができなくなるなどの所期の目的を達成することが難しくなるからである。
したがって、本実施形態の切刃Ｃにおいては、刃先１６のピッチ（Ｐ）を１．０〜１．７ｍｍの範囲に設定、好ましくは１．５ｍｍに設定する。刃先１６の振幅Ｗを０．５〜１．５ｍｍの範囲に設定、好ましくは０．５〜０．９ｍｍ、特に好ましくは０．７ｍｍに設定する。
【００４８】
また、切刃Ｃの板厚ｔについては、０．６〜１．１ｍｍ、好ましくは０．９ｍｍとする。また、刃先端から刃元側へ対称形とする刃先１６の両傾斜面１６ａの成す刃先角度θについては、４０°〜６０°、好ましくは５０°とする。つまり、刃先角度θについては、４０°より小さくするほど切れ味が良くなるが、刃先強度の低下を招くこととなり、６０°より大きくするほど刃先強度は高くなるが切れ味が悪くなる。
【００４９】
図６は、２枚重ね並べて示す切刃の斜視図である。
また、本実施形態に係る切刃Ｃは、図６に示すように、２枚重ね並べて１枚の刃物として使用することができる。つまり、切刃Ｃを２枚重ね並べて１枚の刃物として、開封帯１１による開封構造の２本の引裂き線１３が形成される抜型Ｂの要所に植設配置することができる。
このように、切刃Ｃを２枚重ね並べて１枚の刃物とすることで、開封帯１１の２本の引裂き線１３を形成する切目１３ａをブランクａに入れるときに、裏ライナーａ１から表ライナーａ２に至り切れ残しがない状態で確実に切目１３ａをブランクａに切り込むことができる。つまり、段ボールシートの紙質などによって、１枚では切れ残しが発生するおそれがある場合などには、２枚重ね並べて１枚の刃物として使用することで、一対の幅狭側板３，４の２本の引裂き線１３上に位置させて切れ残しがなく確実に切目１３ａを切れ込むことができる。
【００５０】
［作用説明］
このように形成されている本実施形態に係る切刃Ｃについて簡単に説明する。
図７は、切刃の刃先と切目の対応を示す拡大斜視図である。ここでは、図１および図４を適宜参照しながら説明する。
図７に示すように、略Ｖ字状にて断続的に連なる鋭い刃先１６によって、ブランクａの裏ライナーａ１側から表ライナーａ２側に至る断面視で略台形状の切目１３ａを断続的に切り込み形成することができる。
つまり、図１および図４に示すように、開封口１２から開封方向に備えられる開封帯１１による開封構造の略曲線形状の対称にて形成される２本の引裂き線１３における各弓形外向き傾斜線部１３−５に、裏ライナーａ１側から表ライナーａ２側に至る断面視で略台形状の切目１３ａを断続的に設けることができる。このとき、切目１３ａの断続間隔を、１．０〜１．７ｍｍの範囲の刃先１６のピッチＰにて選択的に入れることができる。つまり、段ボールシートの厚さや紙質などに応じて選択的に入れることができる。
また、ブランクａの一対の幅狭側板３，４に引裂き線１３の切目１３ａを入れるとき、裏ライナーａ１側から表ライナーａ２側に至るように鋭い刃先１６を突き刺す切断であることで、シートを押し潰すことなく、裏ライナーａ１から表ライナーａ２に至るように切目１３ａを切り込むことができる。
【００５１】
≪他の実施形態に係る切刃の説明≫
また、本実施形態では、切刃Ｃ−１の他の実施形態として、図８に示すように、略Ｕ字状の鋭い刃先１７を断続的に多数備えて形成することができる。
図８は、他の実施形態に係る切刃を示す正面図および側面図であり、図９は、同切刃を２枚重ね並べて示す斜視図である。
なお、この実施形態に係る切刃Ｃ−１は、一辺縁に断続的に備える鋭い刃先１７の形状を略Ｕ字状に形成している。それ以外の構成要素においては前記実施形態の切刃Ｃと基本的に同じであることから、同じ構成要素に同じ符合を付することで重複説明は省略する。
【００５２】
すなわち、図８に示すように、切刃Ｃ−１は、前記実施形態に係る切刃Ｃの板厚ｔを有する帯状に形成され、その一辺縁に沿って略Ｕ字状にて断続的に連なる鋭い刃先（切断エッジ）１７を、１．０〜１．７ｍｍの範囲、好ましくは１．５ｍｍのピッチＰにて多数備えて形成されている。
また、切刃Ｃ−１は、前記実施形態に係る切刃Ｃと同様に、板厚ｔを０．６〜１．１ｍｍの範囲、好ましくは０．９ｍｍに設定されている。また、刃先端から刃元側へ対称形とする刃先１７の両傾斜面１７ａの成す刃先角度θについては、４０°〜６０°、好ましくは５０°としている。
【００５３】
≪抜型の説明≫
つぎに、開封帯１１による開封構造における２本の引裂き線１３をブランクａ（段ボール箱Ａの一対の幅狭側板３，４）に入れる切刃Ｃおよび全切り波刃Ｄ、そして、開封口１２の２本の切込み線１２ａをブランクａに入れるミシン刃Ｅおよび１本の切込み線１２ｂを入れる全切り波刃Ｆを備え、さらに、開封用指掛け部１５をブランクａ（段ボール箱Ａの外フラップ５，６）に形成する半切れ波刃Ｇと圧潰部材２０を備える本実施形態に係る抜型Ｂについて説明する。
図１０は、本実施形態に係る抜型の全体を示す底面図であり、図１１および図１２は、同抜型の一部を拡大して示す斜視図である。ここでは、図１を適宜参照しながら説明する。
【００５４】
抜型Ｂは、周知の手法により寸法切り出し、そして曲げ加工などが施されて合板などの板材からなる型板ｂにそれぞれ植設される、図１に示すブランクａの外周輪郭を一枚の段ボールシートから打ち抜く打抜き刃１７、各一対の幅広側板１，２および幅狭側板３，４の綾部罫線１０を入れる直線板状の押圧部材１８を備えている。
【００５５】
また、抜型Ｂは、一対の幅狭側板３，４に開封帯１１の２本の引裂き線１３を入れる切刃Ｃおよび全切り波刃Ｄ、開封口１２の２本の切込み線１２ａを入れるミシン刃Ｅおよび１本の切込み線１２ｂを入れる全切り波刃Ｆ、そして、一対の幅狭側板３，４および開封帯１１に格子状のクロス罫線１４をそれぞれ入れる押罫部材１９、さらに、外フラップ５，６の縁部に開封用指掛け部１５の折れ目１５ａを入れる半切れ波刃Ｇおよび圧潰部材２０、などを備えて構成されている。
【００５６】
ここで、具体的な形状（構造）については図示を省略しているが、開封口１２の２本の切込み線１２ａをブランクａ（一対の幅狭側板３，４）に入れるミシン刃Ｅは、例えば、２４．５ｍｍ（１インチ）の長さ範囲において、裏ライナーａ１から表ライナーａ２に貫通する切込み線１２ａを入れるための全切刃先と切込み線１２ａの間に繋ぎ部を形成するための凹部とを交互にそれぞれ１２ヶ所、計２４ヶ所に備えている構成形態を成している。
このように形成されているミシン刃Ｅは、抜型Ｂにおける開封口１２の２本の切込み線１２ａが切り込み形成される部分に位置して、図１０および図１１に示すように、全切り波刃Ｆとによって略Ｈ字状を成すように型板ｂに植設されて配置される。
【００５７】
そして、開封口１２から開封方向に向けて開封帯１１の２本の引裂き線１３をブランクａ（一対の幅狭側板３，４）に入れる切刃Ｃと全切り波刃Ｄは、抜型Ｂにおける開封帯１１の２本の引裂き線１３の切目１３ａと全切目１３ｂが切り込み形成される各部分に位置して、開封帯１１の２本の引裂き線１３と同じ略曲線形状にて対称と成すように型板ｂに植設されて配置される。
つまり、切刃Ｃは、図１に示す２本の引裂き線１３上における開封口１２の２本の切込み線１２ａの端から外側に向けて傾斜する外向き傾斜線部１３−１、内側湾曲頂部１３−４から外側湾曲頂部１３−２に向けて緩やかな略弓形曲線にて傾斜する弓形外向き傾斜線部１３−５に位置して型板ｂに植設されて、引裂き線１３の切目１３ａをブランクａ（一対の幅狭側板３，４）切り込み形成するように配置されている。
一方、全切れ波刃Ｄは、２本の引裂き線１３上における外側湾曲頂部１３−２、内向き傾斜線部１３−３、内側湾曲頂部１３−４に位置して型板ｂに植設されて、引裂き線１３の全切目１３ｂを切り込み形成するように配置されている。
【００５８】
また、抜型は、１枚の段ボールシートからブランクａを打ち抜き裁断した後に、ブランクａを抜型から分離するためのスポンジ材やゴム材その他の材料から形成されている弾性部材２１を備えている。この弾性部材２１は、略ブロック状に形成されて、図１０に示すように、打抜き刃１７、切刃Ｃ、全切り波刃Ｄ、ミシン刃Ｅ、全切り波刃Ｆに沿う各所において配置される。
【００５９】
［作用説明］
以上のように、開封帯１１による開封構造の２本の引裂き線１３を形成する切刃Ｃおよび全切り波刃Ｄ、そして、外フラップ５，６による開封構造の開封用指掛け部１５を形成する半切り波刃Ｇおよび圧潰部材２０を備えて構成されている本実施形態に係る抜型Ｂによれば、ブランクａが１枚の段ボールシートから打ち抜き裁断されるときに、略Ｖ字状にて断続的に連なる切刃Ｃ，Ｃ−１の鋭い刃先１６によって、開封口１２から開封方向に開封帯１１による開封構造の２本の引裂き線１３を形成するように裏ライナーａ１側から表ライナーａ２側に至る断面視で略台形状を呈する切目１３ａを、断続的に、そして開封方向の各要所において裏ライナーａ１側から表ライナーａ２側に貫通状に切り込まれる全切目１３ｂを同時に切り込んで備えることができる。
【００６０】
なお、図示を省略しているが、ブランクａが１枚の段ボールシートから打ち抜き裁断されるときに、切刃Ｃの鋭い刃先１６によって突き刺すように切目１３ａが切り込まれるブランクａの表ライナーａ２側を受ける打抜き用のシート受け盤の部分には刃先１６が刺さらない（食い込まない）硬さを有する金属板やその他の硬質部材が配されていて、この硬質部材によって切刃１６の刃先端が受け止められるようになっている。
つまり、打抜き刃１７によってブランクａの外周輪郭が一枚の段ボールシートから打ち抜かれるシート受け盤の外周輪郭部分などでは、打抜き刃１７の刃先端が突き刺さるスポンジやその他の軟質部材が一般的に配されているが、切刃Ｃの鋭い刃先１６によって切目１３ａが切り込まれるシート受け盤の部分では、刃先１６の刃先端が突き刺さらずに受け止められる硬質部材が配されている。
これにより、切目１３ａは、突き刺し切り始め側（切断）となるブランクａ裏ライナーａ１側においては刃先１６の刃元側形状に合わせて切り込みが広くなり、表ライナーａ２側においては刃先１６の刃先端形状に相当する小さな孔程度に狭い切れ込みとなる断面視で略台形状に形成されるものである。
【００６１】
なお、本発明の実施形態の具体的な構成は、前記した各実施形態に限られるものではなく、請求項１から請求項８に記載の本発明の要旨を逸脱しない範囲で設計変更などがあっても本発明に含まれるものである。
例えば、開封帯１１による開封構造において、２本の引裂き線１３を開封口１２から開封方向（引裂き方向）に周期的に湾曲させた略波状、または、開封方向に平行とする直線状などに設けることができる。
【００６２】
また、本発明に係る開封帯１１による開封構造、外フラップ５，６による開封構造、開封帯１１の引裂き線１３を突き刺すように切り込み形成する切刃Ｃ，Ｃ−１、この切刃Ｃ，Ｃ−１を備える抜型Ｂは、厚紙などの紙製シートを用いた紙製箱の製造にも適用することができる。
【符号の説明】
【００６３】
Ａ      段ボール箱
Ａ１    胴部
ａ      ブランク（段ボールシート）
ａ１    裏ライナー
ａ２    表ライナー
ａ３    中芯
Ｂ      抜型
Ｃ，Ｃ−１  切刃
１，２  幅広側板
３，４  幅狭側板
５，６  外フラップ
７，８  内フラップ
９      糊代片
１０    綾部罫線
１１    開封帯
１２    開封口
１３    引裂き線
１３ａ  切目
１３ｂ  全切目
１５    開封用指掛け部
１５ａ  折れ目
１５ｂ  潰し部
１６，１７  刃先
【図１】
0005220067.tif 000002
【図２】
0005220067.tif 000003
【図３】
0005220067.tif 000004
【図４】
0005220067.tif 000005
【図５】
0005220067.tif 000006
【図６】
0005220067.tif 000007
【図７】
0005220067.tif 000008
【図８】
0005220067.tif 000009
【図９】
0005220067.tif 000010
【図１０】
0005220067.tif 000011
【図１１】
0005220067.tif 000012
【図１２】
0005220067.tif 000013